(57)【特許請求の範囲】
【請求項１】
内容物を収容する箱状の胴２の上端から内容物の充填にのみ用いて充填後に封止する筒状の充填口３を突設した肉薄で変形し易い簡易なボトル形の容器体１を有し、この容器体の胴２及び充填口３を肉薄に合成樹脂成形した前半部１ａと後半部１ｂとの接合から形成し、この容器体の倒伏状態にて上方に位置させ得るように上記前半部１ａ及び後半部１ｂの何れか一方の胴相当部分に切断開口させる注出口4を設けたことを特徴とする、圧潰廃棄容易な合成樹脂製簡易使い捨て容器。
【請求項２】
上記容器体1につき、上記前半部１ａと後半部１ｂとを皿状に形成し、上記注出口4をその前半部１ａと後半部１ｂとのいずれか一方乃至双方の傾斜肩5にて前方又は後方へ小筒状に突出させて配備させた請求項1記載の圧潰廃棄容易な合成樹脂製簡易使い捨て容器。
【請求項３】
上記前半部1aと上記後半部1bとをそれぞれ周縁にフランジ６を有する状態で薄肉に合成樹脂成形して、フランジ６相互で接合一体化させた請求項２記載の圧潰廃棄容易な合成樹脂製簡易使い捨て容器。
【発明の詳細な説明】
【０００１】
【発明の属する技術分野】
本発明は、圧潰廃棄容易な合成樹脂製簡易使い捨て容器に関する。
【０００２】
【従来の技術】
近年、用済み後の容器類は、分別収拾されて再利用に供されているが、処理に限度もあり、未だ多くのものが圧潰されることもなくそのままの姿で廃棄されている現状であり、これを如何にするかが重大な問題となっている。
かかる容器類のゴミ問題に鑑み、最近では、単なる容器として或いは詰め替え容器としていわゆるパウチと称される袋容器が出回るようになってきている。この種の袋容器は、廃棄時に、折り畳み、圧潰等によりかなり小さくすることができて、量を格段に少なくすることができる点で優れている。
【０００３】
【発明が解決しようとする課題】
しかし、その反面、この種の袋容器には保形性がなく、形が定まり難いくねくねしたものであるために、使用上、取り扱い上或いは外観上、次のような多くの欠点も合わせて有している。
▲１▼  内容物の充填が容易でなく、充填速度が甚だ遅い。
▲２▼  起立させることが困難であり、起立タイプのものであっても、内容物が少なくなるにつれ倒れ易くなる。
▲３▼  把持手段を有しないこともあって持ち難く、注出方向が定まり難いため注ぎ難く、また、取り扱いが容易でなく、漏らし易い。
▲４▼  内容物を途中まで注出して残量を保存するような場合、倒れて内容物が漏出し、周辺を汚すことが多い。殊に、口部を切り開くような詰め替え容器では、十分に閉口できないため、漏れ防止はほとんど不可能である。
▲５▼  見映えが悪い。
そこで、本発明は、圧潰廃棄を容易にするとともに、ボトルの機能をも十分発揮できるようにして、それらの問題点を全て解決しようとするものである。
【０００４】
【課題を解決するための手段】
上記目的達成のため、請求項１の発明は、内容物を収容する箱状の胴２の上端から内容物の充填にのみ用いて充填後に封止する筒状の充填口３を突設した肉薄で変形し易い簡易なボトル形の容器体１を有し、この容器体の胴２及び充填口３を肉薄に合成樹脂成形した前半部１ａと後半部１ｂとの接合から形成し、この容器体の倒伏状態にて上方に位置させ得るように上記前半部１ａ及び後半部１ｂの何れか一方の胴相当部分に切断開口させる注出口4を設けてなる。
【０００５】
請求項２の発明は、請求項１記載の圧潰廃棄容易な合成樹脂製簡易使い捨て容器にあって、上記容器体1につき、上記前半部１ａと後半部１ｂとを皿状に形成し、上記注出口4をその前半部１ａと後半部１ｂとのいずれか一方乃至双方の傾斜肩5にて前方又は後方へ小筒状に突出させて配備させてなる。
【０００６】
請求項３の発明は、請求項２記載の圧潰廃棄容易な合成樹脂製簡易使い捨て容器にあって、上記前半部1aと上記後半部1bとをそれぞれ周縁にフランジ６を有する状態で薄肉に合成樹脂成形して、フランジ６相互で接合一体化させて成る。
【０００７】
【発明の実施の形態】
図面は、請求項１乃至請求項３の圧潰廃棄容易な合成樹脂製簡易使い捨て容器の発明に係る実施の形態を示す。
図において、１は、ポリオレフィン系合成樹脂等で形成した薄肉で変形し易い簡易なボトル形の容器体、２は、該容器体の箱状の胴、３は、該胴の上端に設けた円筒状の充填口で、専ら充填にのみ用いるものであって、充填後に一字状に押し潰して融着封止するものである。４は、容器体の傾斜肩５に設けた小筒状の注出口で、専ら注出にのみ用いるものであって、先端を切断（カット）することにより開口させるものである。
【０００８】
容器体１は、胴２乃至充填口３に係る皿状の前半部1aと後半部1bとを、ポリオレフィン系合成樹脂のフィルム乃至シートから真空成形、圧空成形、マッチ・フォーミング成形等の適宜成形手段により成形して、相互に接合一体化させることで、肉厚が１mm以下の薄肉の容器に形成するが、その前半部1aと後半部1bには、それぞれ周縁にフランジ６を設け、かつ、相互を一側で連ねて左右に展開させた状態で成形（図２）した後、これを折り重ね、フランジ６相互を突き合わせて相互に超音波溶着手段等により融着一体化させる。
また、注出口４は、その前半部1aと後半部1bとのいずれか一方乃至双方の傾斜肩５にて前方又は後方へ小筒状に突出させて配備させる。図示のものでは、前半部1aにのみ設けているが、これに限るものではない。なお、左右いずれか一側へ片寄せて設けてもよい。
【０００９】
如上の構成であるから、図３乃至図６のボトル形態において、開口している充填口３をもってボトルと同様にして内容物を充填すればよい。この際、相互に融着一体化させたフランジ６がリブの役割を果たし、また、上記形態上及び上記合成樹脂成形上、充填口３につきその形状を自体で自然的に維持するのに必要な肉厚にすることができるから、充填に支障を来すことすはない。
充填後、図１に示すように、その充填口３を超音波溶着手段等により一字状に押し潰して融着封止７する。以後、充填口３は開口させない。
内容物を注出する際には、注出口４の先端を切断開口させて、該注出口からのみ注出する。注出口４は、その形態上、成形上、先端を薄肉に形成でき、切断は容易である。また、その注出口４によって注出の際にはほとんど胴２から直接的に注出するような状態となり、胴２したがって容器体１を倒伏させた状態で注出すればよく、倒立させる必要はない。
注出後に内容物が残り、これを保存するときは、注出口４を栓等で閉じ、該注出口４を上に向けて袋容器本体１を倒伏させた状態にして保存、保管する。
【００１０】
【発明の効果】
請求項１、請求項２、請求項３の発明によれば、既述構成であるから、以下の効果を奏する。
(1) 容器体１がボトル形ではあっても薄肉で変形し易い簡易なものであるから、廃棄の際には簡単に圧潰、折り畳み等できて、かなり小さくすることができ、その量を格段に少なくすることができる。
(2) 内容物を収容する胴２が箱状で、該胴の上端から内容物の充填にのみ用いて充填後に封止する筒状の充填口３を突設して、ボトル形の容器体１を形成しているので、容器体１にはボトル同様の内容物の充填が可能となって、袋容器ではあっても高速度に充填でき、しかも、その充填口３の封止も簡単かつ迅速に行える。
(3) 胴２が箱状であるから、内容物充填後の容器体１は倒伏状態において箱と同様に取り扱え、安定に保存、保管できる。しかも、充填口３の封止により密閉状態で保存、保管できる。
(4) 注出専用で切断開口させる注出口４を、その箱状の胴２の適所に容器体１の倒伏態勢にて上方に位置させ設けているから、内容物を注出する際には、その注出口４を切断開口させて注出すればよく、その注出の際には、容器体１を倒伏させた状態で胴２から直接的に注出できて、容器体１を倒立させる必要はなく、したがって、不意の屈曲等により注出方向が変動することも該変動で注ぎ難くなることもない。
(5) 胴２が箱状であるから持ち易く、注出方向が定まって注ぎ易く、また、取り扱いが容易で、漏らすことが少ない。
(6) 内容物を途中まで注出して残量を保存するような場合でも、胴２が箱状で、容器体１の倒伏状態において注出口４を上にして安定に保存、保管できるから、内容物が漏出して周辺を汚すことはない。したがって、注出口４は栓等で簡単に閉じるだけてよい。
(7) ボトルと同様の外観を呈するので、見映えがよい。
(8) そして、その構造上、前半部1aと後半部1bとを合成樹脂による真空成形、圧空成形、マッチ・フォーミング成形等で簡単に成形でき、また、これらを簡単に接合一体化させることができて、極めて容易に製作でき、安価に提供できる。
【図面の簡単な説明】
【図１】  請求項１乃至請求項３の発明に係る圧潰廃棄容易な合成樹脂製簡易使い捨て容器の実施の形態を示す斜視図である。
【図２】  同実施の形態における展開斜視図である。
【図３】  同実施の形態における充填口封止前の斜視図である。
【図４】  同実施の形態における充填口封止前の正面図である。
【図５】  同実施の形態における充填口封止前の平面図である。
【図６】  同実施の形態における充填口封止前の側面図である。
【符号の説明】
１…容器体                      ２…胴
３…充填口                      ４…注出口
５…傾斜肩                      ６…フランジ
７…融着封止
1a…前半部                      1b…後半部
【図１】
0003751427.tif 000002
【図２】
0003751427.tif 000003
【図３】
0003751427.tif 000004
【図４】
0003751427.tif 000005
【図５】
0003751427.tif 000006
【図６】
0003751427.tif 000007